(57)【要約】【課題】通勤用バスを利用して出勤した従業員が一斉に勤務場所のゲートを通る際でも、ゲートでの混雑を防止することができる出退勤管理システムを提供する。【解決手段】勤務場所へ向かう従業員が利用する通勤用バスに設けられ、従業員の個人識別用カードから従業員に対応した個人識別情報を読み込む個人識別用カードリーダと、通勤用バスに設けられ、個人識別用カードリーダが従業員の各々の個人識別カードを読み込むたびに、従業員の各々に対応した個人識別情報を管理用カードに書き込む管理用カードライタと、通勤場所の出入口ゲート近傍に設けられ、管理用カードから従業員の各々に対応した個人識別情報を読み込んで、従業員の出退勤を管理する管理装置に出力する管理用カードリーダとを備えた。【選択図】図１
2010286965.tif 000002
【特許請求の範囲】
【請求項１】
勤務場所へ向かう従業員が利用する通勤用バスに設けられ、前記従業員の個人識別用カードから前記従業員に対応した個人識別情報を読み込む個人識別用カードリーダと、
前記通勤用バスに設けられ、前記個人識別用カードリーダが前記従業員の各々の個人識別カードを読み込むたびに、前記従業員の各々に対応した個人識別情報を管理用カードに書き込む管理用カードライタと、
前記通勤場所の出入口ゲート近傍に設けられ、前記管理用カードから前記従業員の各々に対応した個人識別情報を読み込んで、前記従業員の出退勤を管理する管理装置に出力する管理用カードリーダと、
を備えたことを特徴とする出退勤管理システム。
【請求項２】
前記個人識別用カードリーダは、前記通勤用バスの乗降口に設けられたことを特徴とする請求項１記載の出退勤管理システム。
【請求項３】
前記管理用カードリーダは、前記個人識別情報を、前記管理用カードを読み込んだときの時刻情報と対応付けて、前記管理装置に出力することを特徴とする請求項１又は請求項２に記載の出退勤管理システム。
【請求項４】
前記管理用カードライタは、前記個人識別情報を、前記個人識別用カードリーダが前記個人識別用カードを読み込んだときの時刻情報と対応付けて、前記管理用カードに書き込み、
前記管理用カードリーダは、前記管理用カードから前記個人識別情報と前記時刻情報とを対応付けて読み込んで、前記管理装置に出力することを特徴とする請求項１〜請求項３のいずれかに記載の出退勤管理システム。
【請求項５】
前記管理用カードライタは、前記個人識別情報を、前記通勤用バスの識別情報に対応付けて、前記管理用カードに書き込み、
前記管理用カードリーダは、前記個人識別情報と前記通勤用バスの識別情報とを対応付けて読み込んで、前記管理装置に出力することを特徴とする請求項１〜請求項４のいずれかに記載の出退勤管理システム。
【発明の詳細な説明】
【技術分野】
【０００１】
この発明は、出退勤管理システムに関するものである。
【背景技術】
【０００２】
従来の出退勤管理システムにおいては、ゲートで、従業員の各々がカードをかざして通行し、それを打刻情報として利用している（例えば、特許文献１参照）。
【先行技術文献】
【特許文献】
【０００３】
【特許文献１】特開２００２−２０８０５０号公報
【発明の概要】
【発明が解決しようとする課題】
【０００４】
しかし、特許文献１記載のものは、通勤用バスを利用して出勤した従業員が、一斉に勤務場所のゲートを通るとき、カードをかざすために混雑が生じるという問題があった。
【０００５】
この発明は、上述のような課題を解決するためになされたもので、その目的は、通勤用バスを利用して出勤した従業員が一斉に勤務場所のゲートを通る際でも、ゲートでの混雑を防止することができる出退勤管理システムを提供することである。
【課題を解決するための手段】
【０００６】
この発明に係るエレベータの制御装置は、勤務場所へ向かう従業員が利用する通勤用バスに設けられ、前記従業員の個人識別用カードから前記従業員に対応した個人識別情報を読み込む個人識別用カードリーダと、前記通勤用バスに設けられ、前記個人識別用カードリーダが前記従業員の各々の個人識別カードを読み込むたびに、前記従業員の各々に対応した個人識別情報を管理用カードに書き込む管理用カードライタと、前記通勤場所の出入口ゲート近傍に設けられ、前記管理用カードから前記従業員の各々に対応した個人識別情報を読み込んで、前記従業員の出退勤を管理する管理装置に出力する管理用カードリーダとを備えたものである。
【発明の効果】
【０００７】
この発明によれば、通勤用バスを利用して出勤した従業員が一斉に勤務場所のゲートを通る際でも、ゲートでの混雑を防止することができる。
【図面の簡単な説明】
【０００８】
【図１】この発明の実施の形態１における出退勤管理システムの構成図である。
【図２】この発明の実施の形態２における出退勤管理システムの構成図である。
【図３】この発明の実施の形態３における出退勤管理システムの構成図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における出退勤管理システムの構成図である。
図１において、１は通勤用バスである。この通勤用バス１は、会社等の勤務場所へ向かう従業員が通勤手段として利用するものである。この通勤用バス１の乗降口には、個人識別用カードリーダ２が設けられる。この個人識別用カードリーダ２は、従業員の社員証等の個人識別用カード３から従業員に対応した社員番号等の個人識別情報を読み込む機能を備える。
【００１１】
また、通勤用バス１には、管理用カードライタ４が設けられる。この管理用カードライタ４には、管理用カード５が挿入されている。この管理用カードライタ４は、コントローラ６を介して、個人識別用カードリーダ２に接続されている。管理用カードライタ４は、個人識別用カードリーダ２が従業員の各々の個人識別用カード３を読み込むたびに、従業員の各々に対応した個人識別情報を管理用カード５に自動的に書き込む機能を備える。
【００１２】
一方、勤務場所の出入口には、ゲート７が設けられる。このゲート７近傍には、管理用カードリーダ８が設けられる。そして、ゲート７、管理用カードリーダ８は、コントローラ９に接続される。このコントローラ９は、管理装置１１に接続される。そして、管理用カードリーダ８は、管理用カード５に書き込まれた従業員の各々に対応した個人識別情報を読み込んで、コントローラ９を介して、管理装置１１に出力する機能を備える。
【００１３】
ここで、コントローラ９は、時計機能１０を備える。そして、コントローラ９は、時計機能１０を用いて、個人識別情報を、管理用カード５を読み込んだときの時刻情報と対応付けて、管理装置１１に出力する。管理装置１１は、管理用カードリーダ８から入力された個人識別情報と時刻情報とに基づいて、通勤用バス１を利用して出勤した従業員の出退勤を管理する。
【００１４】
次に、通勤用バス１を利用して出勤した従業員の出勤管理方法を説明する。
従業員の各々は、通勤用バス１に乗り込むときに、個人識別用カードリーダ２に個人識別用カード３をかざす。かかる動作により、個人識別用カードリーダ２が、従業員の個人識別用カード３から個人識別情報を読み込む。その後、読み込まれた個人識別情報が、コントローラ９を介して、管理用カードライタ４に入力され、管理用カード５に書き込まれる。かかる動作は、従業員の各々が通勤用バス１に乗り込むたびに行われる。
【００１５】
そして、通勤用バス１が通勤場所のゲート７に到着すると、通勤用バス１の運転手等が管理用カード５を管理用カードライタ４にかざす。このとき、管理用カードリーダ８が、管理用カード５から個人識別情報の各々を読み込み、コントローラ９を介して、個人識別情報と時刻情報とが管理装置１１に入力される。その後、通勤用バス１の運転手等が、次の通勤用バス１の運行に備え、管理用カード５の内容を消去する。
【００１６】
以上で説明した実施の形態１によれば、管理用カードリーダ８が、管理用カード５から従業員の各々に対応した個人識別情報を読み込んで、従業員の出退勤を管理する管理装置１１に出力する。これにより、従業員の各々がゲート７で個人識別用カード３をかざすことが不要になる。このため、通勤用バス１を利用して出勤した従業員が一斉にゲート７を通る際でも、ゲート７での混雑を防止することができる。
【００１７】
また、個人識別用カードリーダ２は、通勤用バス１の乗降口に設けられる。このため、通勤用バス１に乗り込む従業員が容易に個人識別用カード３の操作を行うことができる。
【００１８】
さらに、管理用カードリーダ８は、個人識別情報を、管理用カード５を読み込んだときの時刻と対応付けて、管理装置１１に出力する。このため、通勤用バス１を利用して出勤した従業員の出勤時刻を容易に管理することができる。
【００１９】
実施の形態２．
図２はこの発明の実施の形態２における出退勤管理システムの構成図である。なお、実施の形態１と同一又は相当部分には同一符号を付して説明を省略する。
【００２０】
実施の形態２は、実施の形態１のコントローラ６に時計機能１２を付加したものである。この実施の形態２においては、コントローラ６は、時計機能１２を用いて、個人識別情報を、個人識別用カードリーダ２が個人識別用カード３を読み込んだときの時刻情報と対応付ける機能を備える。これにより、管理用カードライタ４は、個人識別情報と個人識別用カード３を読み込んだときの時刻情報とを対応付けて、管理用カード５に書き込む。
【００２１】
例えば、図２に示すように、管理用カードライタ４は、個人識別情報としての社員番号「１２３４５６７」、「２３４５６７８」を、それぞれ時刻情報としての乗車時刻「２００９／３／２７  ７：３０」、「２００９／３／２７  ７：３５」に対応付けて、管理用カード５に書き込む。
【００２２】
そして、管理用カードリーダ８は、管理用カード５から個人識別情報と時刻情報とを対応付けて読み込んで、コントローラ９を介して、管理装置１１に出力する。これにより、管理装置１１は、社員番号「１２３４５６７」の従業員が、「２００９／３／２７  ７：３０」に通勤用バス１に乗り込んだと判断する。また、管理装置１１は、社員番号「２３４５６７８」の従業員が、「２００９／３／２７  ７：３５」に通勤用バス１に乗り込んだと判断する。
【００２３】
以上で説明した実施の形態２によれば、管理用カードライタ４は、個人識別情報と時刻情報とを対応付けて、管理用カード５に書き込む。このため、従業員の通勤用バス１の乗車時刻をも管理することができる。これにより、ある従業員の通勤用バス１への乗車が遅れたために、通勤用バス１に遅れが生じたことの確認等、よりきめ細かい出退勤管理を行うことができる。
【００２４】
実施の形態３．
図３はこの発明の実施の形態３における出退勤管理システムの構成図である。なお、実施の形態２と同一又は相当部分には同一符号を付して説明を省略する。
【００２５】
実施の形態２のコントローラ６には、時計機能１２が付加されていた。一方、実施の形態３のコントローラ６には、バス番号設定機能１３を付加されている。以下、実施の形態３について説説明する。
【００２６】
この実施の形態３においては、コントローラ９は、バス番号設定機能１３を用いて、個人識別情報を、通勤用バス１の識別情報としてのバス番号と対応付ける機能を備える。これにより、管理用カードライタ４は、個人識別情報と通勤用バス１の識別情報とを対応付けて、管理用カード５に書き込む。
【００２７】
例えば、図３に示すように、バス番号「ＢＵＳ０１」が割り振られた通勤用バス１において、管理用カードライタ４は、個人識別情報としての社員番号「１２３４５６７」、「２３４５６７８」の双方を、バスの識別情報としてのバス番号「ＢＵＳ０１」に対応付けて、管理用カード５に書き込む。
【００２８】
そして、管理用カードリーダ８は、管理用カード５から個人識別情報とバスの識別情報とを対応付けて読み込んで、コントローラ９を介して、管理装置１１に出力する。これにより、管理装置１１は、社員番号「１２３４５６７」、「２３４５６７８」の従業員が、バス番号「ＢＵＳ０１」が割り振られた通勤用バス１を利用して出勤したと判断する。
【００２９】
以上で説明した実施の形態３によれば、管理用カードライタ４は、個人識別情報とバスの識別情報とを対応付けて、管理用カード５に書き込む。このため、従業員が利用した通勤用バス１をも管理することができる。これにより、従業員が通常とは異なる通勤用バス１を利用したことの確認等、よりきめ細かい出退勤管理を行うことができる。
【符号の説明】
【００３０】
１  通勤用バス、  ２  個人識別用カードリーダ、  ３  個人識別用カード、
４  管理用カードライタ、  ５  管理用カード、  ６  コントローラ、  ７  ゲート、
８  管理用カードリーダ、  ９  コントローラ、  １０  時計機能、  
１１  管理装置、  １２  時計機能、  １３  バス番号設定機能
【図１】
2010286965.tif 000003
【図２】
2010286965.tif 000004
【図３】
2010286965.tif 000005